(57)【要約】【課題】ダンス姿勢の単なる矯正ではなく、ダンスを踊る際に実際に装着出来て、ダンスの姿勢が正しくなるとともに、ダンスの理想的な動きをサポートするダンス姿勢サポータの提供を目的とする。【解決手段】男性用として、男性の左足大腿部に装着する大腿部ホルダー部と、男性の右肩に装着するショルダー部を、背中側から繋ぐベルト部を有し、このベルト部の一部にゴム状の弾性部を備えたダンス姿勢サポータとした。なお、女性はホルダー部を右足に、ショルダー部を左肩に装着する。【選択図】  図２
2004166929.tif 000002
【特許請求の範囲】
【請求項１】
男性の左足大腿部に装着する大腿部ホルダー部と、男性の右肩に装着するショルダー部を、背中側から繋ぐベルト部を有し、このベルト部の一部にゴム状の弾性部を備えたことを特徴とするダンス姿勢サポータ。
【請求項２】
女性の右足大腿部に装着する大腿部ホルダー部と、女性の左肩に装着するショルダー部を、背中側から繋ぐベルト部を有し、このベルト部の一部にゴム状の弾性部を備えたことを特徴とするダンス姿勢サポータ。
【発明の詳細な説明】
【０００１】
【発明の属する技術分野】
本発明は、ボールルームダンス（社交ダンス）等を踊る際に、理想的なダンス姿勢が自然に得られるようにサポートするダンス姿勢サポータに関する。
【０００２】
【従来の技術】
ボールルームダンスには、音楽やステップによって、ワルツ、タンゴ、モダン種目、ラテン種目等、各種ダンスがある。
これらのダンスにおいては、背筋を真直にし、上体を大きく見せるのが望ましい姿勢とされている。
例えば、フォールアウェイ・リバースフィガーを想定した場合に、男女の位置関係の変化や大きな回転運動など様々な技術が要求される。
男性が第一歩の動きとして、リバース回転系の前進をする際には、女性はこの男性の動きに対して横切るように後退した動きになる。
従って、男性は図３に示すように背筋を真直にし、図４に示すように両腕をホールドして前進する際に、図４に示す矢印の方向に、右肩が前のめりの状態になると、ダンスとしての姿勢が悪いだけでなく、女性の正しい方向への後退を妨げてしまうことになる。
【０００３】
ところで、従来より、ダンス練習用の姿勢矯正具が提案されている。
しかし、従来の姿勢矯正具は、あくまでダンスの練習用であり、正しい姿勢を習得するまでの道具に過ぎず、しかも、ダンスのある姿勢を一定に保持するためのものであり、実際にダンスを踊る際には装着できなかったり、正しい動きの妨げになったりするものが殆どであった。
【０００４】
【発明が解決しようとする課題】
本発明は、ダンス姿勢の単なる矯正ではなく、ダンスを踊る際に実際に装着出来て、ダンスの姿勢が正しくなるとともに、ダンスの理想的な動きをサポートするダンス姿勢サポータの提供を目的とする。
【０００５】
【課題を解決するための手段】
本発明は、上記目的を達成するために、男性用として、男性の左足大腿部に装着する大腿部ホルダー部と、男性の右肩に装着するショルダー部を、背中側から繋ぐベルト部を有し、このベルト部の一部にゴム状の弾性部を備えたダンス姿勢サポータとした。
【０００６】
女性用として、女性の右足大腿部に装着する大腿部ホルダー部と、女性の左肩に装着するショルダー部を、背中側から繋ぐベルト部を有し、このベルト部の一部にゴム状の弾性部を備えたダンス姿勢サポータとした。
【０００７】
男性用と女性用では動きが対称的であり、本発明に係るサポータの装着は相互に逆になる。
従って、以下男性用を中心に説明する。
左足に装着した大腿部ホルダー部と、右肩に装着したショルダー部を背中側でベルトで繋いだので、右肩がホールドの際に前のめりになるのを防止する。
また、リバース回転等の動きにおいて、右足を前に出そうとする際に、右肩が本発明に係るベルトにより、後方に引っ張られようとするので上体が真直に維持される。
【０００８】
また、右足を前に出した際には、左足の膝が少し曲がった状態になり、ベルト部の一部に設けたゴム状弾性部が伸びる。
すると、その反力で右肩が後方に引っ張られるとともに、左足を伸ばす次のステップへ動きやすいように作用する。
従って、ベルト部の伸び縮みは、右足の動きに対して上体を真直にしたまま、左足の正しい動きを引き出すように引っ張り力が働き、自然な動きをサポートする。
【０００９】
【発明の実施の形態】
図１に、本発明に係るダンス姿勢サポータ１の例を示す。
足の大腿部に装着する大腿部ホルダー部２と、肩に装着するショルダー部３とがベルト部８、９、１０にて繋がれている。
大腿部ホルダー部２は、大腿部に容易に装着出来るようにパイル部１１と大腿部に巻き付けて、フック部１２で係着するマジックテープ（登録商標）構造になっている。
なお、ベルトの下端が大腿部に固定出来れば、上記のようなマジックテープ（登録商標）方式に限定されるものではなく、大腿部ホルダー部が伸び縮みするような素材を用いて巻き込み、ホック等で取り付けてもよい。
また、ホルダー部を大腿部に装着するようにしたが、男性の場合で、右肩が前のめりの状態にならず、女性の場合で、左肩が前のめりの状態にならないようにする目的が主であれば、ホルダー部を腰に装着してもよい。
【００１０】
ショルダー部３は、肩に掛けられるように輪の状態に形成され、肩に直接当たるショルダーパット部３ａは、ベルト部８との連結部７に９０°ねじった状態で縫合されている。
ベルト部８とベルト部９の間には、長さ調整用の長さ調整具５が取り付けられ、折り返し部６の長さを調整する。
また、大腿部ホルダー部２に縫合したベルト部１０とベルト部９の間には、ゴム弾性部４が設けられている。
【００１１】
図２に本発明に係るダンス姿勢サポータ１を男性が装着した状態を示す。
大腿部ホルダー部２を左足大腿部に装着し、ショルダー部３を右肩に装着する。
なお、女性の場合に、大腿部ホルダー部２を右足大腿部に装着し、ショルダー部３を左肩に装着する。
図２は、ズボン及び上衣の上から本発明に係るサポータを装着した状態を例示してあるが、これは練習時であり、実際にダンスを踊る際には、ズボン及び上衣の下に装着するのが良い。
【００１２】
図２に示すように、両腕をホールドし、立った状態ではベルト部が矢印（ロ）に示すように右肩を引っ張っているので、右肩が矢印（イ）に示すように前のめりになるのを防いでいる。
右足を（ハ）のように左前方斜めに出すようにすると、左膝（Ｈ）は少し曲がる。
次に、リバース回転のステップを踏もうとする際には、左膝（Ｈ）を伸ばすことになるが、先に左膝を曲げた時にベルト部のゴム弾性部４が伸びているので、その弾性反力にて上体が真直になったまま、左膝も真直になる方向にサポートする。
従って、ベルト部のゴム弾性部４が伸縮することで自然に理想的なダンス動きになる。
【００１３】
【発明の効果】
本発明においては、男性の場合に、左足大腿部と右肩部を背中側で弾性部を有するベルトで繋ぎ、女性の場合には、右足大腿部と左肩部を背中側で弾性部を有するベルトで繋いだことにより、上体の姿勢を真直にし、肩が前のめりになるのを防ぐ効果があるだけでなく、ベルトの弾性部が伸び縮みすることで、次のダンスのステップ動作を誘導する効果がある。
【００１４】
また、本発明に係るダンス姿勢サポータは、上衣、ズボンの上から装着して練習時に使用することも上衣、ズボンあるいはドレスの下に装着して実際にダンスを踊る際にも装着使用出来る。
【図面の簡単な説明】
【図１】本発明に係るサポータの例を示す。
【図２】本発明に係るサポータを男性が装着した例を示す。
【図３】男性が両腕をホールドした際の上部から見た状態例を示す。
【図４】ダンスの基礎姿勢の状態例を示す。
【符号の説明】
１    ダンス姿勢サポータ
２    大腿部ホルダー部
３    ショルダー部
３ａ  ショルダーパット部
４    ベルトのゴム弾性部
５    ベルト長さ調整部
６    ベルト折り返し部
７    ベルトとショルダー部の縫合連結部
８、９、１０  ベルト部
１１  パイル部
１２  フック部
【図１】
2004166929.tif 000003
【図２】
2004166929.tif 000004
【図３】
2004166929.tif 000005
【図４】
2004166929.tif 000006